(57)【要約】  本発明は、スピンドル（９）のねじ（２４）に取り付けられたカウンターロック（１５）を備える頂部（３）を含む機械足（１）を含み、カウンターロック（１５）が底部（２）のハウジング（４）に相補形状のアバットメントを有し、アバットメントが球体の一部分の形状を形成しており、およびスピンドル（９）とカウンターロック（１５）の間に第１ガスケット（２１）があり、およびハウジング（４）とカウンターロック（１５）の間に第２ガスケット（２２）がある。本発明によって、底部（２）および頂部（３）が、例えば、国際衛生基準後に組み立てられた機械足（１）の承認種別を維持している、注文の後まで完成された製品に組み立てられない、別体および独立体として製造および置かれることができることが達成される。同時に、本発明により製造された機械足（１）は、例えば、機械足が土台にボルト締めされている地震を有する地域で生じる、大きな張力および張力の変位に抵抗することができる。
2017503117.tif 000002
【特許請求の範囲】
【請求項１】
機械のような機器に取り付けるための頂部（３）、および床のような基礎に対して接触するための底部（２）を含む機械足（１）であって、前記頂部（３）の中心軸は前記底部（２）の中心軸（２０）に対して数度（１１）動かせることができ、および前記底部（２）はハウジング（４）を含み、および前記頂部（３）はねじ付きスピンドル（９）およびねじシールド（１４）を含み、および前記頂部（３）は前記スピンドル（９）のねじ（２４）に取り付けられたカウンターロック（１５）を備え、前記カウンターロック（１５）は前記底部（２）の前記ハウジング（４）に対して相補形状のアバットメントを有し、前記アバットメントは球体の一部分の形状を形成しており、スピンドル（９）とカウンターロック（１５）の間に第１ガスケット（２１）があること、および、ハウジング（４）とカウンターロック（１５）の間に第２ガスケット（２２）があることを特徴とする機械足。
【請求項２】
前記カウンターロック（１５）が前記底部（２）の前記中心軸（２０）に対する前記頂部（３）の前記中心軸の間の角度を固定するように構成された手段を含んでおり、前記手段が前記ハウジング（４）に対して相補形状のアバットメントおよび前記カウンターロック（１５）と前記ハウジング（４）の間に与えられる摩擦を含んでいることを特徴とする請求項１に記載の機械足（１）。
【請求項３】
前記カウンターロック（１５）が前記底部（２）に対する前記頂部（３）の回転を固定するように構成された手段を含んでおり、前記手段が前記ハウジング（４）に対して相補形状のアバットメントおよび前記カウンターロック（１５）と前記ハウジング（４）の間に与えられる摩擦および前記カウンターロック（１５）と前記スピンドル（９）の前記ねじ（２４）の間に与えられる摩擦を含んでいることを特徴とする請求項１または２に記載の機械足（１）。
【請求項４】
前記頂部（３）がボルト（１９）で前記ハウジング（４）に取り付けられており、球体の一部分の形状を有するリング（１３）が前記ボルト（１９）の頭部（１８）と前記ハウジング（４）の間に配置されており、前記球体の一部分の形状を有するリングの中心は前記底部（２）に対する前記頂部（３）の運動のための回転中心であることを特徴とする請求項１ないし３のいずれか一項に記載の機械足（１）。
【請求項５】
前記底部（２）において、ボルト（１９）と前記ハウジング（４）の間にクリアランスゾーン（１０）があり、前記クリアランスゾーン（１０）は、前記ハウジング（４）の外側および前記ボルト（１９）の内側で区切られた空洞によって形成されることを特徴とする請求項１ないし４のいずれか一項に記載の機械足（１）。
【請求項６】
前記ねじシールド（１４）は、前記ねじシールド（１４）の基部に配置された溶接フランジ（２３）を備えることを特徴とする請求項１ないし５のいずれか一項に記載の機械足（１）。
【請求項７】
前記底部（２）は、基礎への前記機械足（１）の取り付け用のためにいくつかの穴（１２）、好ましくは２つの穴（１２）を備えることを特徴とする請求項１ないし６のいずれか一項に記載の機械足（１）。
【請求項８】
潤滑ディスク（１６）が前記ハウジング（４）と前記スピンドル（９）の間に配置されることを特徴とする請求項１ないし７のいずれか一項に記載の機械足（１）。
【請求項９】
請求項１ないし８のいずれか一項に記載の機械足（１）の使用であって、食材加工または薬剤製造用の場所のような高衛生基準を有する場所で使用することを特徴とする機械足（１）の使用。
【請求項１０】
地震リスクを有する地域で使用することを特徴とする請求項９に記載の機械足（１）の使用。
【発明の詳細な説明】
【技術分野】
【０００１】
本発明は機械足に関し、機械足は、機械のような機器に取り付けるための頂部、および床のような基礎に対して接触するための底部を含んでおり、頂部の中心軸は底部の中心軸に対して数度動かせることができ、および底部はハウジングを含み、および頂部はねじ付きスピンドルおよびねじシールドを含み、頂部はスピンドルのねじに取り付けられたカウンターロックを備え、カウンターロックは底部のハウジングに対して相補形状のアバットメントを有し、アバットメントは球体の一部分の形状を形成している。
【０００２】
本発明は、さらに機械足の使用に関する。
【背景技術】
【０００３】
機械足は、デンマーク国特許発明第１７６７０５号明細書から知られており、高衛生基準の場所で使われることによく適している。
【０００４】
この機械足は機械のような機器に取り付けるための頂部、および床のような基礎に対して接触するための底部を含んでおり、頂部の中心軸は底部の中心軸に対して数度動かせることができ、および底部はハウジングを含み、ハウジングは金属製が好ましく、および基部に高分子材料を備え、および頂部はねじ付きスピンドルおよびねじシールドを含んでいる。
【０００５】
デンマーク国特許発明第１７６７０５号明細書のものは、底部および頂部が特定の注文後まで組み立てられない別体として、作られ、および置かれることができ、物理的に組み立てられ、完成された機械足が、スペースを要求し、そして、そのため、置いておくために相対的に費用がかかる比較的容量の大きい構成要素であるときに好都合である。
【０００６】
機械足の頂部および基部は基部の中に頂部を挿入することで組み立てられる。
【０００７】
しかしながら、デンマーク国特許発明第１７６７０５号明細書から知られる機械足の不利なことは、頂部の構造が底部に対して斜めに固定されることができないことで、高い地震リスクを有する地域でしばしば要求がある。
【０００８】
米国特許出願公開第２００２／０００８１８７号明細書（Ｇａｎｔｅｒ）２００２．０１．２４から、機械足は知られている。機械足は機械のような機器に取り付けるための頂部、および床のような基礎に対して接触するための底部を含んでおり、頂部の中心軸は底部の中心軸に対して数度動かせることができ、および底部はハウジングを含み、ハウジングは、金属製で、かつ基部にボルトを囲むリングとして形成された高分子材料を備え、ボルトは基部から頂部の中にねじ止めされている。
【０００９】
しかしながら、米国特許出願公開第２００２／０００８１８７号明細書に記載された機械足のいくつかの不利なことは、ボルトが基部から頂部の中にねじ止めされ、そして、そのため、ボルトは基部に頂部を取り付けており、基部は高分子材料に埋め込まれ、そのため、高分子材料は、頂部と基部の間に張力が生じた場合、損害を与えられ得る。高分子材料がこのように損害を与えられた場合、頂部と基部は、その後、よく定義された方法で組み立てられず、それによって、クラックは不純物と細菌が集まることができる部品間に生じ得る。したがって、機械足は特別の衛生基準を有する用途で使うために認められることができない。頂部は底部に対して固定されることができないが、このことは、しばしば高変位張力に対処することができ、およびそれによって地震リスクを有する地域で柱のゆがみのリスクを最小にすることができるための要件となり得る。
【００１０】
高分子材料の中のボルトの埋没は、機械足が頂部と基部の間の物理的張力に抵抗することができないという、言及された不利なことを生じる。これ、および頂部の固定不足は、機械足が、例えば、地震リスクがあるところでの用途に用いることができないことを意味する。同様の理由により、機械足は、支持に対する機械足の取り付け用手段を備えられない。
【００１１】
米国特許出願公開第２００２／０００８１８７号明細書に記載された機械足において、基部から頂部と土台をねじ止めするボルトの間に開放された隙間があり、それによって、不純物および細菌が開放された隙間に集まることができる。
【００１２】
さらに、米国特許出願公開第２００２／０００８１８７号明細書で言及されている機械足は、頂部と基部の間にシールを含まず、そして、そのため、この領域で不純物および細菌によって汚染され得る。
【００１３】
したがって、米国特許出願公開第２００２／０００８１８７号明細書から知られる機械足の不利なことがある。それは、ボルトで締め付ける手段によって基礎へ取り付ける機械足の中の大きい張力および張力の変位を生じ得る地震のリスクのある場所での使用を承認されることができないことである。全く同様に、機械足は特別な衛生基準を定めている用途で用いるために承認されることができない。
【００１４】
機械足は米国特許第１１０２７９２号明細書の冒頭に記載されるように知られている。設計は不純物および細菌が機械足に入ることを防止していない。なぜなら、機械足は、それを防止するためのシールを含んでない。
【発明の概要】
【００１５】
したがって、本発明の目的は、上記不利なことなしに機械足を提供することである。
【００１６】
本発明の目的は、スピンドルとカウンターロックの間の第１ガスケットがあること、およびハウジンとカウンターロックの間の第２ガスケットがあることを特徴とする、請求項１のプリアンブルに記載された種類の機械足によって、実現される。
【００１７】
したがって、このように、独立構成要素として頂部および底部を製造することが可能になり、そのうえ独立構成要素は別体として置かれることができる。別体は注文の後まで特定の単位に組み立てられず、注文時に機械足は底部から頂部に導入されるボルトによって組み立てられ得るので、それによって機械足は高張力に抵抗することができる。例えば、ボルトの取り付け後、プラグが取り付けられ得り、それによって、機械足は密閉され、そして、それによって、高衛生基準を有する用途に用いるために適する。さらに、カウンターロックによって底部に対して頂部を固定することができることによって、高い地震リスクを有する地域で用途に関連する柱のゆがみのリスクが減少すること、および、これらの地域での固定された機械足のための要件が満たされることが達成される。カウンターロックは、ほこりおよび細菌がカウンターロックのまわりに入ることを抑えるガスケットに取り付けられ、そのため、衛生基準および機械足の固定の両方が満たされ得る。
【００１８】
他の好適な機械足の実施形態は、他の請求項に記載されている。
【００１９】
本発明のさらなる態様において、機械足は、カウンターロックが底部の中心軸に対する頂部の中心軸の間の角度を固定するために適する手段を含むことを含んでいる。手段はハウジングに対して相補形状のアバットメントおよびカウンターロックとハウジングの間に与えられる摩擦を含んでいる。これによって、柱ゆがみのリスクが最少にされることが達成される。
【００２０】
本発明のさらなる態様において、機械足は、カウンターロックが底部に対する頂部の回転を固定するために適する手段を含むことを含んでいる。手段はハウジングに対して相補形状のアバットメントおよびカウンターロックとスピンドルのねじの間に与えられる摩擦を含んでいる。これによって、スピンドルが底部に対して回転することができないこと、および、これによって、支持している機械が同じ高さを維持することが達成される。
【００２１】
本発明のさらなる態様において、機械足は、頂部がボルトによりハウジングに取り付けられることを含み、ボルトの頭部とハウジングの間には、球体の一部分の形状を有するリングが配置されており、リングの中心は底部に対する頂部の運動のための回転中心である。これによって、頂部が球体の一部分の形状を有するリングの中心のまわりを回転することが達成される。
【００２２】
本発明のさらなる態様において、機械足はハウジングが基部に高分子材料を備えることを含んでいる。これによって、ほこりや細菌が下から入らないことが達成される。
【００２３】
本発明のさらなる態様において、機械足は、ボルトの頭部が、好ましくは金属材料で作られ、ハウジングの凹みに対して隣接するカバープレートによって覆われることを含み、および、高分子材料が、プラグの周囲のリング形状接触面に糊付けすることでハウジングに取り付けられるプラグを取り囲むリングとして形成され、および、プラグがカバープレートに対して隣接する上面を有している。これによって、ボルトに対して密閉されることが達成される。
【００２４】
本発明のさらなる態様において、機械足は、ボルトと底部のハウジングの間にクリアランスゾーンがあることを含み、クリアランスゾーンは、ハウジングの外側とボルトの内側で区切られた空洞によって形成される。これによって、ボルト、およびそれによって頂部は、ハウジングおよびそれによって底部に対して動くことができることが達成される。
【００２５】
本発明のさらなる態様において、機械足は、機械足の全てのガスケットがＦＤＡで認証されたＮＢＲゴム材料で構成されることを含んでいる。
【００２６】
本発明のさらなる態様において、機械足は、ねじシールドが、ねじシールド上の基部に配置された溶接フランジを備えることを含んでいる。これによって、支持された機械がさらに下向きに取り付けられることができることが達成され、そのため、柱ひずみのリスクが減少される。
【００２７】
本発明のさらなる態様において、機械足はプラグが高分子材料で作られることを含んでいる。これによって、食材加工、または、薬剤製造用の場所のような高衛生基準を有する場所で使用するため承認され得るシールが達成される。
【００２８】
本発明のさらなる態様において、機械足はプラグが円形であることを含んでいる。
【００２９】
本発明のさらなる態様において、機械足はプラグの厚さが取り囲んでいる高分子材料の厚さより少ないことを含んでいる。
【００３０】
本発明のさらなる態様において、機械足は、ボルトおよび頂部の共通のねじ面が接着剤を備えていることを含んでいる。これによって、基部が頂部に対してロバストおよび安定な張力を有することが達成される。
【００３１】
本発明のさらなる態様において、機械足は、高分子材料が硫化によってハウジングに取り付けられたゴムであることを含んでいる。これによって、ハウジングに対する高分子材料の取り付けが、ほこりまたは細菌が基部を経由して機械足の中に入ることができないことを確保するように最適となることが達成される。
【００３２】
本発明のさらなる態様において、機械足は、基礎への機械足の取り付け用に、底部がいくつかの穴、好ましくは２つの穴を備えることを含んでいる。これによって、機械足は、基礎へ取り付けるための要求を有する場所で使われ得ることできることが達成される。
【００３３】
本発明のさらなる態様において、機械足はすべての金属物が圧力下で直接金属接触を有することを含んでいる。これによって、火花のリスクを除く、すべての金属物中で同電位であることが達成される。
【００３４】
本発明のさらなる態様において、機械足は、潤滑ディスクがハウジングとスピンドルの間に配置されることを含んでいる。これによって、スピンドルは、２つの物品の間の接触している金属のかじりのリスクなしにハウジングに対して動くことができることが達成される。
【００３５】
本発明は、言及されたように、食材加工または薬剤製造用の場所のような高衛生基準を有する場所での上述の機械足の使用にも関する。
【００３６】
本発明は、さらに、高地震リスクを有する地域での機械足の使用に関する。
【図面の簡単な説明】
【００３７】
以下、本発明は図面を参照して詳細に説明されるだろう。
【００３８】
【図１】頂部と基部を含む機械足の断面図を示す。
【図２】機械足の断面図の一部を示す。
【図３】図１および２に示されたものと同種の機械足を示す。
【図４】底部に含まれる部品の一部の断面図を示す。
【発明を実施するための形態】
【００３９】
図１は、基部（２）および頂部（３）を含む機械足（１）を示す。
【００４０】
図３は、機械足（１）が、頂部（３）が基部（２）の中心軸（２０）に対して数度（１１）振られることができるように構成されていることを示す。
【００４１】
図４は、底部のハウジング（３）を示しており、基礎にボルトで取り付けるための２つの穴（１２）がある。
【００４２】
図１から図４に示された基部（２）は、ハウジング（４）を含み、ハウジング（４）は好ましくは金属材料で作られ、基部にはプラグ（６）の周囲のリング状接触面（８）に糊付けされることによってハウジング（４）に取り付けられたプラグ（６）を取り囲むリングとして形成された高分子材料（５）を備えている。
【００４３】
プラグ（６）は、機械足（１）が使われる所与の用途に従い選ばれる高分子材料で作られる。
【００４４】
好ましい実施形態において、プラグ（６）は円形である。
【００４５】
プラグ（６）の厚さは、取り囲んでいる高分子材料（５）の厚さより少ない。これによって、プラグは、機械足（１）が配置されても、基礎の表面と直接接触にならないことが保証される。
【００４６】
これは、プラグの周りに適合している高分子材料（５）がプラグ（６）のために可能であるよりハウジング（４）へ強い取り付けを有することができるので重要であり、そのため、プラグ（６）の厚さは取り囲んでいる高分子材料（５）の厚さより少ないとき、支持によって機械的に影響されるのはプラグ（６）ではなく、取り囲んでいる高分子材料（５）になるだろう。
【００４７】
プラグ（６）およびハウジング（４）の間のリング状接触面（８）内の領域には、好ましくは金属材料で作られたカバープレート（７）が配置される。
【００４８】
頂部（３）はボルト（１９）で底部（２）のハウジング（４）に取り付けられ、頭部（１８）は、カバープレート（７）によって覆われる。
【００４９】
ボルト（１９）は、例えば、必要とされる地震の危険にさらされる地域のために必要な引張強度を機械足（１）に与えて、機械足（１）が支持にボルトで止められる。
【００５０】
ボルト（１９）および頂部（３）の共通のねじ付き面は接着剤を備える。
【００５１】
特別なねじ接着剤を用いることによって、基部（２）は頂部（３）に対してロバストで安定な張力を有することが保証される。
【００５２】
図２では、ボルト（１９）および頂部（３）が底部（２）のハウジング（４）に対して動くことができることを許す、クリアランスゾーンが１０によって示される。
【００５３】
図１および図２では、頂部（３）の一部であり、かつ、スピンドル（９）のねじ（２４）に取り付けられているカウンターロックが（１５）で示され、ハウジング（４）の表面部に相当する相補形状のアバットメントを有し、アバットメントが球体の一部分の形状を形成している。
【００５４】
ボルト（１９）の頭部（１８）とハウジング（４）の間には球体の一部分の形状を有するリング（１３）が配置され、球体の一部分の形状を有するリングの中心は、底部（２）に対して頂部（３）の運動のための回転中心である。
【００５５】
球体の一部分の形状を有するリング（１３）は、ハウジング（４）の対応する表面部分に対して相補形状であり、中でもクリアランスゾーン（１０）、および、カウンターロック（１５）とハウジング（４）との間の球体の一部分の形状であるアバットメントとともに、頂部（３）が数度（１１）動くことができることを保証する。図３に、数度は基部（２０）の中心軸に対してプラスマイナス１０度として示されている。
【００５６】
クリアランスゾーン（１０）は、ハウジング（４）について外側で、ボルト（１９）について内側で画定される空洞で構成されている。したがって、空洞は、リング状であり、かつ、外側の境界は好ましくは円錐である。
【００５７】
カウンターロック（１５）は、スピンドル（９）、および、全頂部（３）が回転および底部（２）に対する角度の両方について固定されうることを保証する。カウンターロック（１５）は開いているとき、スピンドル（９）とともに回転し、これが回転されたとき、および、カウンターロックが締め付けられているとき、スピンドル（９）は、したがって、全頂部（３）は、回転および底部（２）に対する角度の両方について固定される。カウンターロック（１５）が締め付けられるとき、カウンターロック（１５）とハウジング（４）の間の摩擦は、底部（２）に対して頂部（３）を引き止めるだろう。
【００５８】
カウンターロック（１５）は、２つのガスケットを有し、第１ガスケット（２１）は頂部（３）とカウンターロック（１５）の間に配置され、第２ガスケット（２２）はハウジング（４）とカウンターロック（１５）の間に配置される。これらのガスケット（２１，２２）はともに、ほこりおよび細菌が、カウンターロック（１５）のまわりの機械足（１）の中に入らないことを保証する。カウンターロック（１５）がどの位置であっても、ガスケット（２１，２２）は、カウンターロック（１５）で機械足（９）にほこりおよび細菌が入ることを防止するそれらの機能を保持し、および、したがって、衛生基準を満足することができる。
【００５９】
好ましい実施形態において、高分子材料（５）は加硫によってハウジング（４）に取り付けられたゴムである。
【００６０】
これによって、ハウジング（４）に対する高分子材料（５）の取り付けは、取り付けがほこりおよび／または細菌が基部を経由して機械足（１）の中に入ることができないことを確保するように最適となることが確保される。
【００６１】
示された好ましい実施形態において、底部（２）は、しばしば、地震リスクを有する地域の中で要求がある、基礎への機械足（１）の取り付けのために、いくつかの、好ましくは、２つの穴（１２）を備える。
【００６２】
カウンターロックに配置された２つのガスケット（２１，２２）を含む、機械足のすべてのガスケットは、ＦＤＡで認証されたＮＢＲゴム材料で構成される。
【００６３】
機械足のすべての金属物体は、電気的に接触している。それらは、一緒にねじ止めされるか、圧力下で直接金属接触を有するので、そして、そのため、同じ電位を有する。それによって、それは、電位差が発生すること、および、スパークを生じる可能性を避けられる。
【００６４】
本発明は、言及されたように、食材加工または薬剤製造用の場所のような高衛生基準を有する場所での上述の機械足（１）の使用を含んでいる。
【００６５】
地震リスクを有する地域での上述された機械足（１）の使用を含んでいる。
【００６６】
ねじシールド（１４）は、ねじシールド（１４）の基部に配置された溶接フランジ（２３）を備えることができる。この溶接フランジ（２３）は、機械を含む機器に直接溶接されることができ、機械は、支持され、および、機械がスピンドル（９）に直接ねじ止めされた場合と比べ、基礎と機械の間の短い距離を許す。スピンドル（９）の自由部分が短いので、スピンドルは柱ゆがみのリスクを低減する。
【００６７】
支持された機械は、スピンドル（９）を回転することによって上下に調整され得り、同時に底部（２）は基礎にしっかりと立つ。スピンドル（９）が回転されると、カウンターロック（１５）はそれとともに回転する。正しい高さが設定されると、カウンターロック（１５）は締め付けられ、スピンドル（９）は両回転および底部（２）に対する角度にについて固定される。
【００６８】
スピンドル（９）は、球体の一部分の形状を形成している明確に定義された外面を覆って底部（２）で静止する。この球体の一部分の形状の中心は、足の内側であり、および、同じ中心の周りに、球体の一部分の形状を有するリング（１３）が埋め込まれる、内側の球体の一部分の形状がある。スピンドル（９）は、スピンドル（９）のねじ穴に入る、球体の一部分の形状を有するリング（１３）の穴を経由するボルト（１９）によって底部（２）に固定される。好ましくは、スピンドル（９）と底部（２）の間に配置される薄い高分子潤滑ディスク（１６）を有することができ、材料のかじりがなくなる。
【００６９】
このように、頂部（３）がカウンターロック（１５）を備えることが本発明の特別な特徴であることは、上述および図１から４から明らかである。カウンターロック（１５）は底部（２）のハウジング（４）に相補形状のアバットメントを有し、アバットメントは球体の一部分の形状を形成し、および、頂部（３）はボルト（１９）でハウジング（４）に取り付けられ、ボルト（１９）の頭部（１８）とハウジング（４）の間には、中心が底部（２）に対する頂部（３）の運動のための回転中心である、球体の一部分の形状を有するリング（１３）が配置され、および、中心はカウンターロック（１５）とハウジング（４）の間の球体の一部分の形状の中心と完全に一致している。さらに、ほこりおよび細菌がカウンターロック（１５）のまわりに入らないことを保証するカウンターロック（１５）にガスケット（２１，２２）があり、角度および回転の固定は衛生基準を満足することができる。
【００７０】
記載された機械足（１）が、地震リスクを有する地域を含む、食材加工または薬剤製造用の場所のような高衛生基準を有する場所で使われることは、本発明の一部である。
【図１】
2017503117.tif 000003
【図２】
2017503117.tif 000004
【図３】
2017503117.tif 000005
【図４】
2017503117.tif 000006
【国際調査報告】
2017503117.tif 000007
2017503117.tif 000008